(57)【要約】      （修正有）【課題】パッケージ間で比較的均一な充填レベルを有する、パッケージ内に複数の粒子を含むパッケージ入り組成物の提供。【解決手段】粒子の約４０重量％超のポリエチレングリコールであって、約５０００〜約１１０００の重量平均分子量を有する、ポリエチレングリコールと、該粒子の約０．１重量％〜約２０重量％の香料と、を含み、パッケージ内の粒子９０の実質的に全てが、実質的に平らなベース部１５０と、ベース部に対して直交して測定された高さＨと、を有し、全体として粒子が、高さの分布を有し、該高さの分布が、約１ｍｍ〜約５ｍｍの平均高さと、約０．３未満の高さの標準偏差と、を有する、パッケージ入り組成物。【選択図】図６
2019116624.tif 000002
【特許請求の範囲】
【請求項１】
パッケージ（１６０）内に複数の粒子（９０）を含む、パッケージ入り組成物であって、前記粒子が、
前記粒子の４０重量％超のポリエチレングリコールであって、前記ポリエチレングリコールが５０００〜１１０００の重量平均分子量を有する、ポリエチレングリコールと、前記粒子の０．１重量％〜２０重量％の香料と、を含み、
前記パッケージ内の前記粒子の実質的に全てが、実質的に平らなベース部（１５０）と、前記ベース部に対して直交して測定された高さ（Ｈ）と、を有し、全体として前記粒子が、高さの分布を有し、前記高さの分布が、１ｍｍ〜５ｍｍの平均高さと、０．３未満の高さの標準偏差と、を有する、パッケージ入り組成物。
【請求項２】
前記パッケージ内の前記粒子の実質的に全てが、実質的に平らなベース部と、最大ベース寸法（ＭＢＤ）と、を有し、前記粒子が全体として、最大ベース寸法の分布を有し、前記最大ベース寸法の分布が、２ｍｍ〜７ｍｍの平均最大ベース寸法と、０．５未満の最大ベース寸法の標準偏差と、を有する、請求項１に記載のパッケージ入り組成物。
【請求項３】
前記パッケージ内の前記粒子の実質的に全てが、実質的に平らなベース部を有し、前記最大ベース寸法と整列した主軸（ＭＡ）と、前記主軸に対して直交してかつ前記ベース部と同一面内で測定された最大副ベース寸法（ＭＭＢＤ）と、を有し、全体として前記粒子が、最大副ベース寸法の分布を有し、前記最大副ベース寸法の分布が、２ｍｍ〜７ｍｍの平均最大副ベース寸法と、０．５未満の最大副ベース寸法の標準偏差と、を有する、請求項１又は請求項２に記載のパッケージ入り組成物。
【請求項４】
前記香料がカプセル化香料を含む、請求項１〜３のいずれか一項に記載のパッケージ入り組成物。
【請求項５】
前記粒子が、０．１重量％〜２０重量％のカプセル化香料を含む、請求項１〜４のいずれか一項に記載のパッケージ入り組成物。
【請求項６】
前記香料が、カプセル化香料と非カプセル化香料とを含む、請求項１〜５のいずれか一項に記載のパッケージ入り組成物。
【請求項７】
前記粒子が、０．１ｍｇ〜５ｇの個別質量を有する、請求項１〜６のいずれか一項に記載のパッケージ入り組成物。
【請求項８】
前記パッケージ内の前記粒子の９０％超が、実質的に平らなベース部と、前記ベース部に対して直交して測定された高さと、を有し、全体として前記粒子が、高さの分布を有し、前記高さの分布が、１ｍｍ〜５ｍｍの平均高さと、０．３未満の高さの標準偏差と、を有する、請求項１〜７のいずれか一項に記載のパッケージ入り組成物。
【請求項９】
前記パッケージ内の前記粒子の９０％超が、実質的に平らなベース部と、前記ベース部に対して直交して測定された高さと、を有し、全体として前記粒子が、高さの分布を有し、前記高さの分布が、１ｍｍ〜５ｍｍの平均高さと、０．２未満の高さの標準偏差と、を有する、請求項１〜８のいずれか一項に記載のパッケージ入り組成物。
【請求項１０】
前記パッケージ内の前記粒子の９０％超が、実質的に平らなベース部と、前記ベース部に対して直交して測定された高さと、を有し、全体として前記粒子が、高さの分布を有し、前記高さの分布が、１ｍｍ〜５ｍｍの平均高さと、０．１５未満の高さの標準偏差と、を有する、請求項１〜９のいずれか一項に記載のパッケージ入り組成物。
【請求項１１】
前記パッケージ内の前記粒子の９９％超が、実質的に平らなベース部と、前記ベース部に対して直交して測定された高さと、を有し、全体として前記粒子が、高さの分布を有し、前記高さの分布が、１ｍｍ〜５ｍｍの平均高さと、０．３未満の高さの標準偏差と、を有する、請求項１〜１０のいずれか一項に記載のパッケージ入り組成物。
【発明の詳細な説明】
【技術分野】
【０００１】
パッケージ入り組成物。
【背景技術】
【０００２】
洗濯をして洗い上がった後に洗濯された物品を使用した際に良い香りを楽しめるようにする目的から消費者によく用いられているのが、洗濯用芳香粉末添加剤である。典型的には、洗濯用芳香粉末添加剤は、粒子を光分解から保護するために不透明なパッケージで市販されている。
【０００３】
いくつかの洗濯用芳香粉末添加剤、特に、製品サプライチェーンに短期間しか存続しない洗濯用芳香添加剤は、光への暴露に対する感受性がさほど高くない。そのような洗濯用芳香添加物に関しては、店舗の棚に陳列された製品を選んでいる消費者に対し粒子を見せることができれば、売り手に有利となる可能性がある。これは、多くの場合、透明なパッケージ又は透明な部分を有するパッケージを使用することにより達成される。幾つかの製品パッケージの場合、消費者が製品を選ぶ時点で、または例えばパッケージを開けて製品を使用する際に、洗濯用芳香粉末添加剤の充填レベルが見えるようになっている。
【０００４】
洗濯用芳香粉末添加剤は、重量を基準とした数量で販売されるのが通例である。洗濯用芳香粉末添加剤の製造品質に応じて、粒子は、単一のパッケージ内で又は幾つかのパッケージにわたって様々な粒径を有する場合がある。そのような洗濯用芳香粉末添加剤の粒径にばらつきにより、パッケージ内の充填レベルが異なる同じ質量を含有するパッケージが生じ得る。これにより、消費者の間にひどい驚きを生じさせる可能性があり、最も低い充填レベルを有するパッケージが最も高い充填レベルを有するパッケージよりも少ない製品しか入っていないという間違った結論を下す場合がある。この結果、容器に内容物が緩めに充填されたことに関連した、その他の規制上の懸念が浮上する可能性もある。
【０００５】
これらの制限事項を考慮に入れて、異なるパッケージ間で比較的均一な充填レベルを提供する重量基準のパッケージ内に充填され得る洗濯用芳香粉末添加剤への依然として対処されていない必要性が存在する。
【発明の概要】
【課題を解決するための手段】
【０００６】
パッケージ内に複数の粒子を含むパッケージ入り組成物であって、粒子が、該粒子の約４０重量％超のポリエチレングリコールであって、約５０００〜約１１０００の重量平均分子量を有する、ポリエチレングリコールと、該粒子の約０．１重量％〜約２０重量％の香料と、を含み、パッケージ内の粒子の実質的に全てが、実質的に平らなベース部と、ベース部に対して直交して測定された高さと、を有し、全体として粒子が、高さの分布を有し、該高さの分布が、約１ｍｍ〜約５ｍｍの平均高さと、約０．３未満の高さの標準偏差と、を有する、パッケージ入り組成物。
【図面の簡単な説明】
【０００７】
【図１】粒子を形成するための装置である。
【図２】螺旋形の静止型ミキサーである。
【図３】プレートタイプの静止型ミキサーである。
【図４】装置の一部である。
【図５】装置の端面図である。
【図６】粒子の側面図である。
【図７】粒子の底面図である。
【図８】パッケージ入り組成物である。
【図９】静止型ミキサーを使用して及び使用せずに製造された粒子の高さの分布を表したグラフである。
【図１０】静止型ミキサーを使用して及び使用せずに製造された粒子の最大ベース寸法の分布を表したグラフである。
【図１１】静止型ミキサーを使用して及び使用せずに製造された粒子の最大副ベース寸法の分布を表したグラフである。
【発明を実施するための形態】
【０００８】
粒子を形成するための装置１が、図１に示されている。原材料（１つ又は複数）はバッチ式ミキサー１０に供給される。バッチ式ミキサー１０は、原材料を所望されるレベルで混合しかつ／又は反応させるのに十分な滞留時間にわたって、このミキサーに供給された原材料の体積を保持するための十分な容積を有する。バッチ式ミキサー１０から出る材料が、前駆体物質２０である。前駆体物質２０は、溶融生成物であり得る。バッチ式ミキサー１０は、動的ミキサーであってもよい。動的ミキサーとは、ミキサーの内容物を混合するためのエネルギーが印加されるミキサーである。バッチ式ミキサー１０は、バッチ式ミキサー１０内の内容物を混合する１つ以上のインペラを備えていてもよい。
【０００９】
バッチ式ミキサー１０と分配器３０との間で、供給管４０を通して前駆体物質２０を運搬できる。供給管４０は、バッチ式ミキサー１０と流体連通し得る。バッチ式ミキサー１０と分配器３０との間に、供給管４０と流体連通した中間ミキサー５５を提供することもできる。中間ミキサー５５は、バッチ式ミキサー１０と分配器３０との間にある供給管４０と流体連通している静止型ミキサー５０であってもよい。中間ミキサー５５（静止型ミキサー５０であってもよい）は、バッチ式ミキサー１０の下流に存在し得る。言い換えれば、バッチ式ミキサー１０は、中間ミキサー５５又は静止型ミキサー５５（使用された場合）の上流に存在し得る。中間ミキサー５５は、静止型ミキサー５０であってもよい。中間ミキサー５５は、ロータ型ステータ（rotor-stator）ミキサーであってもよい。中間ミキサー５５は、コロイドミルであってもよい。中間ミキサー５５は、駆動型のインライン流体分散機であってもよく、中間ミキサー５５は、ＩＫＡ，Ｗｉｌｍｉｎｇｔｏｎ，Ｎｏｒｔｈ  Ｃａｒｏｌｉｎａ，Ｕｎｉｔｅｄ  Ｓｔａｔｅｓ  ｏｆ  Ａｍｅｒｉｃａから入手可能なＵｌｔｒａ  Ｔｕｒｒａｘ分散機、Ｄｉｓｐａｘ−Ｒｅａｃｔｏｒ分散機、Ｃｏｌｌｏｉｄ  Ｍｉｌ  ＭＫ、又はＣｏｎｅ  Ｍｉｌｌ  ＭＫＯであってもよい。
【００１０】
中間ミキサー５５は、穿孔円盤ミル、歯状コロイドミル、又はＦｒｙｍａＫｏｒｕｍａ，Ｒｈｅｉｎｆｅｌｄｅｎ，Ｓｗｉｔｚｅｒｌａｎｄから入手可能なＤＩＬ  Ｉｎｌｉｎｅ  Ｈｏｍｏｇｅｎｉｚｅｒであってもよい。
【００１１】
分配器３０には、複数の開口部６０が設けられてもよい。前駆体物質２０を、開口部６０に通過させてもよい。前駆体物質２０は、開口部６０を通過した後、分配器３０の下方に設けてある移動式コンベヤー８０上に堆積し得る。コンベヤー８０は、分配器３０に対して並進に移動可能であり得る。
【００１２】
前駆体物質２０を移動式コンベヤー８０上で冷却することによって、複数の固体粒子９０を形成し得る。冷却は、周囲冷却によって行うことができる。任意選択的に、冷却は、コンベヤー８０の下側に周囲温度の水の又は冷却水を噴霧することによって行うこともできる。
【００１３】
いったん粒子９０が十分に凝集したら、この粒子９０をコンベヤー８０から、コンベヤー８０の下流にある加工用機器に移送して、更に加工しかつ／又はパッケージ化する。
【００１４】
中間ミキサー５５は、静止型ミキサー５０であってもよい。静止型ミキサー５０は、供給管４０と流体連通した状態で実装され得る。静止型ミキサー５０は、静止型ミキサー４０、及び静止型ミキサー５０を通る前駆体物質２０の流れを妨害する静止型ミキサー５０内の１つ以上の障害物を通して、前駆体物質２０を運搬させる。静止型ミキサー内で前駆体物質２０の流れを妨害することによって、前駆体物質２０が混合される。前駆体物質２０が静止型ミキサー内を貫流するときに前駆体物質２０を混合するのに要するエネルギーは、前駆体物質２０が静止型ミキサー内を貫流しているときのそのエネルギー損失から派生する。静止型ミキサー５０とは、静止型ミキサー５０を通過する物質のエネルギー損失から混合所要エネルギーが派生する、ミキサーである。
【００１５】
装置１内で使用できる静止型ミキサー４０には様々な種類がある。静止型ミキサー５０は、図２に示すような螺旋形の静止型ミキサー４０であってもよい。図２に示すように、螺旋形の静止型ミキサー５０に、１つ以上の流体妨害要素を含めることもできる。図３に示すように、任意選択的に、静止型ミキサー５０は、１つ以上の流体妨害要素９０を含むプレート静止型ミキサー５０であってもよい。静止型ミキサー５０は、円筒又は矩形のハウジング又は他の好適な形状のハウジングで提供され得る。様々な異なる配置構成の流体妨害要素９０を提供することができる。流体妨害要素９０は、前駆体物質２０の流れを複数のストリームに分割して、それらのストリームを静止型ミキサーの断面にわたって様々な位置に方向付けるように設計することができる。流体妨害要素９０は、前駆体物質２０の流れに乱流が与えられ、前駆体物質２０を混合する乱流によって渦巻きが生じるように設計することができる。静止型ミキサー５０は、Ｃｈｅｍｉｎｅｅｒ，Ｄａｙｔｏｎ，ＯＨ，ＵＳＡから入手可能なＫｅｎｉｃｓ（内径１．９０５ｃｍの）ＫＭＳ６であってもよい。
【００１６】
分配器３０は、ステータを供給管４０と流体連通している状態で、ステータ１００の周りに回転式に実装されたシリンダ１１０であってもよい。図４に示すように、シリンダ１１０は、周辺部１２０を有し得、その周辺部１２０内には複数の開口部６０が存在し得る。したがって、装置１は、供給管４０と流体連通しているステータ１００を備え得る。前駆体物質２０が静止型ミキサー５０を通過した後、供給管４０は前駆体物質２０をステータ１００に供給することができる。
【００１７】
装置１は、ステータ１００の周りに回転式に実装されたシリンダ１１０を備え得る。シリンダ１１０の一方又は両方の端部１３０を通して、前駆体物質がステータ１００に供給される。シリンダ１１０は、シリンダ１１０を通過する長手方向軸Ｌを有していてもよく、この長手方向軸の周りをシリンダ１１０が回転するようになっている。シリンダ１１０は、周辺部１２０を有する。シリンダ１１０の周辺部１２０には、複数の開口部６０が存在し得る。
【００１８】
シリンダ１１０がその長手方向軸Ｌの周りを回転するように駆動されると、開口部６０は、シリンダ１１０がステータ１００の周りを回転するときに、ステータ１００と断続的に流体連通し得る。シリンダ１１０は、ステータ１００を横断する周辺部１２０の移動方向に縦方向ＭＤと、周辺部１２０上に縦方向ＭＤに対して直交した横方向と、を有すると見なすことができる。同様に、ステータ１００は、長手方向軸Ｌに平行な横方向ＣＤを有すると見なすことができる。ステータ１００の横方向は、シリンダ１１０の横方向と整列し得る。ステータ１００は、ステータ１００の横方向ＣＤに配列された複数の分配ポート１２０を有し得る。分配ポート１２０は、前駆体物質２０が補充供給されたステータ１００の部分又はゾーンである。
【００１９】
前駆体物質２０は一般的に、静止型ミキサー５０及び供給管４０の中を通ってステータ１００に供給される。ステータ１００は、シリンダ１１０の作動幅にわたって前駆体供給物質２０を分配する。シリンダ１１０がその長手方向軸の周りを回転すると、ステータ１００が開口部６０と連通し、前駆体物質２０が開口部６０の中を通って供給される。ステータ１００が各開口部６０に突き当たると、前駆体物質２０の別個の質量が各開口部６０の中を通って供給される。ステータ１００内の前駆体物質の圧力及びシリンダ１１０の回転速度のうちの一方又は両方を制御することによって、各開口部６０がステータ１００と連通したときに各開口部６０の中を通って供給された前駆体物質２０の質量を制御することが可能である。
【００２０】
前駆体物質２０の液滴がシリンダ１１０の作動幅にわたってコンベヤー８０上に堆積する。コンベヤー８０は、シリンダ１１０の長手方向軸に対して並進に移動可能であり得る。コンベヤー８０の速度をシリンダ１１０の接線速度に対して設定することによって、前駆体物質２０がいったんコンベヤー８０上に堆積した後に有する形状を制御できる。コンベヤー８０の速度は、シリンダ１１０の接線速度とほぼ同じであり得る。
【００２１】
理論に束縛されるものではないが、中間ミキサー５５（例えば静止型ミキサー５０）により、分配器３０又はステータ１００内の前駆体物質２０のより均一な温度が提供され得ると考えられる。
【００２２】
中間ミキサー５５又は静止型ミキサー５０（使用された場合）の下流端部では、供給管４０の断面にわたる供給管４０内部の前駆体物質２０の温度変動が約１０℃未満、又は約５℃未満、又は約１℃未満、又は約０．５℃未満であり得る。
【００２３】
静止型ミキサー５０の不在下では、供給管４０の断面にわたる温度が均一でなくなる場合がある。供給管４０の中心線における前駆体物質２０の温度は、供給管４０の周囲壁における前駆体供給物質２０の温度よりも高くなる場合がある。前駆体物質２０が、分配器３０又はステータ１００に対して放出されると、分配器又はステータ１００内の異なる位置にて前駆体物質２０に温度差を生じる場合がある。
【００２４】
縦方向ＭＤの装置１の図が、図５に示されている。図５に示すように、装置１は、作動幅Ｗを有し得るため、シリンダ１１０は長手方向軸Ｌの周りを回転できるようになっている。
【００２５】
溶融材料の場合、材料のレオロジー特性は温度に依存する傾向がある。例えば、温度の上昇につれて、材料の動的粘度は低下する傾向にある。前駆体物質２０は、コンベヤー８０上に堆積したときに、少なくとも限られた程度までは流動するため、前駆体物質２０の質量は、コンベヤー８０上に載置されている間、それ自身の重量下で変形する可能性がある。動的粘度、運動粘度、表面張力及び密度などのレオロジー特性は、粒子９０の形状に影響を及ぼす場合がある。
【００２６】
更に、溶融材料の凝集挙動は、温度の関数として変動し得る。コンベヤー上の前駆体物質２０の個々の堆積物の温度は、コンベヤー８０の横方向ＣＤにわたって異なり、前駆体物質２０は最終的に、コンベヤー８０の横方向ＣＤにおける位置の関数である形状を有する粒子９０に形成され得る。形成された粒子９０が様々な形状を取る場合、如何なる所与の粒子９０のパッケージにおいても粒子９０の形状にばらつきを生じることだけでなく、粒子９０のパッケージ毎に粒子形状にばらつきを生じる可能性があることも、予期され得る。
【００２７】
他の製品の原材料であるバルク材料の領域においては、粒子９０の形状のばらつきが、それらの粒子を用いて達成され得る結果に対して重要性を持つとは限らない。そのため、本明細書に記載のプロセスを用いて生成された粒子９０のサイズ及び形状間の細かなばらつきに対してほとんど注意が払われておらず、分配器３０又はステータ１００の内部の温度変動を認識できていなかったと考えられる。消費者製品においては、消費者の多くが、その製品を形成する粒子９０の一貫性から識別され得る製品の黙示的品質に対して敏感であると考えられる。このため、分配器３０又はステータ１００内の前駆体物質２０の温度の変動性は重要であり、最小限に抑えることが望ましいと考えられる。
【００２８】
同様に、溶融前駆体物質２０はストリング状である場合がある。つまり、温度に応じて、溶融前駆体物質２０が所望通りにシリンダ１１０から放出されない場合がある。そのような場合、コンベヤー８０上に堆積した前駆体物質２０を、前駆体物質２０のストリングを介してシリンダ１１０に接続することができる。そのストリングが破壊されて、コンベヤー８０及びシリンダ１１０上に堆積した前駆体物質２０に跳ね返る程度に応じて、そこから延出するストリングを有する粒子９０が結果として生じ得る。これらストリングは、最終的に粒子９０のパッケージ化され、粒子９０のハンドリング中に粉末に粉砕され得る。粉末は、安全性、取り扱い、及び審美性等の多数の理由から望ましくない場合がある。
【００２９】
理論に束縛されるものではないが、本明細書に記載の静止型ミキサー４０を使用して供給管４０の断面にわたって均一な温度を提供することにより、静止型ミキサー４０を有さない装置１を使用した場合に比べて均一な粒子９０を生成できると考えられる。
【００３０】
図１に示すように、供給管４０を通過する前駆体物質２０の流れは、バッチ式ミキサー１０及び分配器３０からの重力駆動流れによって提供され得る。製造時の制御性を向上させる目的から、図４に示すような供給ポンプ１４０が装置１に設けられる場合もある。供給ポンプは、供給管４０と整列していてもよい。ここで言う「整列している」とは、前駆体物質２０の流線内にあることを意味する。供給ポンプ１４０は、バッチ式ミキサー１０と分配器３０との間にあってもよい。ステータ１００が使用された場合、供給ポンプ１４０を供給管４０と整列していてもよい。ここで言う「整列している」とは、前駆体物質２０の流線内にあることを意味する。ステータ１００が使用された場合、供給ポンプ１４０は、バッチ式ミキサー１０とステータ１００との間にあってもよい。供給ポンプ１４０の位置に関する説明において、「との間（between）」は、バッチ式ミキサー１０の下流、及び分配器３０の上流、又はステータ１００（使用された場合）の上流と整列している供給ポンプ１４０に関する説明に使用される。
【００３１】
中間ミキサー５５は、分配器３０内に位置する場合もある。静止型ミキサー５０が中間ミキサー５５として使用されている場合、この静止型ミキサー５０は、ステータ１００の内部にあり得る。供給管４０は、有効内径を有し得る。この有効内径は、中間ミキサー５５又は静止型ミキサー５０（使用された場合）と、分配器３０又はステータ１００（使用された場合）との間の供給管４０の長さに沿って、平均開放断面積と同じ開放断面積を有する管の内径である。中間ミキサー５５又は静止型ミキサー５０（使用された場合）は、分配器３０又は静止型ミキサー５０（使用された場合）内に位置する場合もあれば、あるいは供給管４０の有効内径が約１００未満である供給管４０に沿って、分配器３０又はステータ１００（使用された場合）からある範囲内にある場合もある。例えば、供給管４０が均一な２．５４ｃｍの内径を有する管である場合、供給管４０の有効内径は２．５４ｃｍである。中間ミキサー５５又は静止型ミキサー５０（使用された場合）は、約２５４ｃｍ未満である供給管４０に沿って、分配器３０又はステータ１００（使用された場合）からある範囲内にあり得る。
【００３２】
中間ミキサー５５又は静止型ミキサー５０（使用された場合）は、分配器３０又は静止型ミキサー５０（使用された場合）内に位置する場合もあれば、あるいは供給管４０の有効内径が約７５未満である供給管４０に沿って、分配器３０又はステータ１００（使用された場合）からある範囲内にある場合もある。中間ミキサー５５又は静止型ミキサー５０（使用された場合）は、分配器３０又は静止型ミキサー５０（使用された場合）内に位置する場合もあれば、あるいは供給管４０の有効内径が約５０未満である供給管４０に沿って、分配器３０又はステータ１００（使用された場合）からある範囲内にある場合もある。中間ミキサー５５又は静止型ミキサー５０（使用された場合）は、分配器３０又は静止型ミキサー５０（使用された場合）内に位置する場合もあれば、あるいは供給管４０の有効内径が約４０未満である供給管４０に沿って、分配器３０又はステータ１００（使用された場合）からある範囲内にある場合もある。
【００３３】
理論に束縛されるものではないが、本明細書に記載されるように、中間ミキサー５５又は静止型ミキサー５０（使用された場合）を、分配器３０又はステータ１００（使用された場合）の近位に設けることによって、供給管４０の内部で供給管４０の断面にわたる前駆体物質２０の温度変動を、供給管４０を横断して比較的均一な温度にし、それによって、分配器３０又はステータ１００（使用された場合）から放出されたときの前駆体物質２０の温度を比較的均一にすることは、実用的であると考えられる。
【００３４】
静止型ミキサー５０は、中間ミキサー５５として使用された場合、供給ポンプ１４０と分配器３０又はステータ１００（使用された場合）との間に、整列して位置付けられ得る。有利に、静止型ミキサー５０は、中間ミキサー５５として使用された場合、分配器３０又はステータ１００（使用された場合）の上流に設けることもできる。
【００３５】
静止型ミキサー５０は、中間ミキサー５５として使用された場合、静止型ミキサー５０内の流れの方向に長さＺを有する。静止型ミキサー５０の長さＺは、静止型ミキサー５０が前駆体物質２０を分配器３０又はステータ１００（どちらか使用されている方）に運搬するのに要する、長さＺの量と見なされる。静止型ミキサー５０は、Ｋｅｎｉｃｓ社製の、内径１．９０５ｃｍ、長さ１９．０５ｃｍのＫＭＳ６静止型ミキサー５０であってもよく、このミキサーは、分配器３０又はステータ１００の上流９１．４４ｃｍに設置され得る。供給管は、２．５４ｃｍの内径を有し得る。
【００３６】
静止型ミキサー５０が中間ミキサー５５として使用された場合、供給管４０に沿って測定された分配器３０又はステータ１００の、約２０未満の長さＺの範囲内にあり得る。理論に束縛されるものではないが、そのように静止型ミキサー５０を配置することによって、いったん前駆体物質２０が分配器３０又はステータ１００に到達した後は、供給管４０の断面にわたる温度変動が緩和され得ると考えられる。静止型ミキサー５０を分配器３０又はステータ１００に近づけて配置することにより、供給管４０の断面にわたる温度が均一化される。静止型ミキサー５０は、供給管４０に沿って測定された分配器３０又はステータ１００の、約１０未満の長さＺの範囲内にあり得る。静止型ミキサー５０は、供給管４０に沿って測定された分配器３０又はステータ１００の、約５未満の長さＺの範囲内にあり得る。
【００３７】
粒子９０を形成するためのプロセスは、供給管４０と流体連通しているバッチ式ミキサー１０内に前駆体物質２０を提供する工程と、前駆体物質２０を供給管４０に提供する工程と、供給管４０と流体連通している中間ミキサー５５を、バッチ式ミキサー１０の下流に提供する工程と、前駆体物質２０を中間ミキサー５５に通過させる工程と、供給管４０と流体連通しているステータ１００を提供する工程と、前駆体物質２０をステータ１００に分配する工程と、ステータ１００の周りを回転し、かつシリンダ１１０の長手方向軸Ｌの周りを回転可能なシリンダ１１０を提供する工程であって、シリンダ１１０が、周辺部１２０と、周辺部１２０の周りに配設された複数の開口部６０と、を有する、工程と、前駆体物質１２０を開口部６０に通過させる工程と、シリンダ１１０の下方に移動式コンベヤー８０を提供する工程と、前駆体物質２０を移動式コンベヤー８０上に堆積させる工程と、前駆体物質２０を冷却して、複数の粒子９０を形成する工程と、を含み得る。本プロセスは、本明細書に開示される装置のうちのいずれか装置を使用して実施することができる。本プロセスは、本明細書に開示される前駆体物質２０のうちのいずれかを用いて、本明細書に開示される粒子９０のうちのいずれかを形成することができる。
【００３８】
粒子９０を形成するためのプロセスは、供給管４０と流体連通しているバッチ式ミキサー１０内に前駆体物質２０を提供する工程と、前駆体物質２０を供給管４０に提供する工程と、供給管４０と流体連通している中間ミキサー５５を、バッチ式ミキサー１０の下流に提供する工程と、前駆体物質２０を中間ミキサー５５に通過させる工程と、複数の開口部６０を有する分配器３０を提供する工程と、前駆体物質２０を供給管４０から分配器３０に運搬する工程と、前駆体物質２０を開口部６０に通過させる工程と、分配器３０の下方に移動式コンベヤー８０を提供する工程と、前駆体物質２０を移動式コンベヤー８０上に堆積させる工程と、前駆体物質２０を冷却して、複数の粒子９０を形成する工程と、を含み得、前駆体物質２０は、約２０００〜約１３０００の重量平均分子量を有する約４０重量％超のポリエチレングリコールと、約０．１重量％〜約２０重量％の香料とを含む。本プロセスは、本明細書に開示される装置のうちのいずれか装置を使用して実施することができる。本プロセスは、本明細書に開示される前駆体物質２０のうちのいずれかを用いて、本明細書に開示される粒子９０のうちのいずれかを形成することができる。
【００３９】
前駆体物質２０は、本明細書に記載の装置１及び方法を使用して粒子９０に形成され得る溶融材料として加工することの可能な如何なる組成物であってもよい。粒子９０を用いることによりどのような利益がもたらされるかによって、前駆体物質２０の組成物が決定される。前駆体物質２０は、原材料組成物、工業用組成物、消費者向け組成物、又は有利に粒状形態で提供され得る任意の他の組成物であってもよい。
【００４０】
前駆体物質２０は、布地処理組成物であってもよい。前駆体物質２０ひいては粒子９０は、約２０００〜約１３０００の重量平均分子量を有する、約４０重量％超のポリエチレングリコールを含み得る。ポリエチレングリコール（ＰＥＧ）は比較的低コストであり、多様な形状及び寸法に形成することが可能であり、非カプセル化香料拡散を最小限にとどめ、水によく溶解する。ＰＥＧは多様な重量平均分子量のものが出回っている。ＰＥＧの好適な重量平均分子量範囲としては、約２，０００〜約１３，０００、約４，０００〜約１２，０００、あるいは約５，０００〜約１１，０００、あるいは約６，０００〜約１０，０００、あるいは約７，０００〜約９，０００、あるいはこれらの組み合わせが挙げられる。ＰＥＧは、例えば、ＰＬＵＲＩＯＬ  Ｅ８０００として、ＢＡＳＦから入手可能である。
【００４１】
前駆体物質２０ひいては粒子９０は、約４０重量％超のＰＥＧの粒子を含み得る。前駆体物質２０ひいては粒子９０は、約５０重量％超のＰＥＧの粒子を含み得る。前駆体物質２０ひいては粒子９０は、約６０重量％超のＰＥＧの粒子を含み得る。前駆体物質２０ひいては粒子９０は、約６５重量％〜約９９重量％のＰＥＧの組成物を含み得る。前駆体物質２０ひいては粒子９０は、約４０重量％〜約９９重量％のＰＥＧの組成物を含み得る。
【００４２】
あるいは、前駆体物質２０ひいては粒子９０は、前駆体物質２０ひいては粒子９０の重量を基準にして約４０％〜約９０重量％未満、あるいは約４５％〜約７５％、あるいは約５０％〜約７０％、あるいはこれらの組み合わせ、及び上述の範囲のうちのいずれか内の任意の整数百分率又は整数百分率の範囲のＰＥＧを含み得る。
【００４３】
前駆体物質２０ひいては粒子９０は、用途に応じて、グリセリン、ポリプロピレングリコール、イソプロピルミリステート、ジプロピレングリコール、１，２プロパンジオール、２，０００未満の重量平均分子量を有するＰＥＧ、及びこれらの混合物からなる群から選択されるバランシング剤の粒子約０．５％〜約５重量％を含み得る。
【００４４】
前駆体物質２０ひいては粒子９０は、前駆体物質２０ひいては粒子９０中のＰＥＧだけでなく、０．１重量％〜約２０重量％の香料も更に含み得る。香料は、非カプセル化香料、カプセル化香料、香料送達技術により供給される香料、又は他の何らかの様式で供給される香料であり得る。香料は、米国特許第７，１８６，６８０号の第１０欄５６行〜第２５欄２２行に概説されている。前駆体物質２０ひいては粒子９０は、非カプセル化香料を含み得るが、香料マイクロカプセルなどの香料キャリアを本質的に含まない。前駆体物質２０ひいては粒子９０は、香料キャリア材料（及びその香料キャリア材料に含有される香料）を含み得る。香料キャリア材料の例は、米国特許第７，１８６，６８０号の第２５欄２３行〜第３１欄７行に記載されている。香料キャリア材料の具体的な例としては、シクロデキストリン及びゼオライトを挙げることができる。
【００４５】
前駆体物質２０ひいては粒子９０は、前駆体物質２０又は粒子９０の重量を基準にして約０．１％〜約２０％、あるいは約１％〜約１５％、あるいは２％〜約１０％、あるいはこれらの組み合わせ、及び上述の範囲のうちのいずれか内の任意の整数百分率の香料を含み得る。香料は非カプセル化香料及び／又はカプセル化香料であってもよい。
【００４６】
前駆体物質２０ひいては粒子９０は、香料キャリアを含まない場合もあれば、又は本質的に含まない場合もある。前駆体物質２０ひいては粒子９０は、前駆体物質２０ひいては粒子９０の重量を基準にして約０．１％〜約２０％、あるいは約１％〜約１５％、あるいは２％〜約１０％、あるいはこれらの組み合わせ、及び上述の範囲のうちのいずれか内の任意の整数百分率の非カプセル化香料を含み得る。
【００４７】
前駆体物質２０ひいては粒子９０は、非カプセル化香料と香料マイクロカプセルとを含み得る。前駆体物質２０ひいては粒子９０は、前駆体物質２０ひいては粒子９０の重量を基準にして約０．１％〜約２０％、あるいは約１％〜約１５％、あるいは約２％〜約１０％、あるいはこれらの組み合わせ、及び上述の範囲のうちのいずれか内の任意の整数百分率又は整数百分率の範囲の非カプセル化香料を含み得る。非カプセル化香料のそのようなレベルは、本明細書に開示される前駆体物質２０ひいては粒子９０（非カプセル化香料を有するもの）のうちのいずれにも適切であり得る。
【００４８】
前駆体物質２０ひいては粒子９０は、非カプセル化香料と香料マイクロカプセルとを含み得るが、他の香料キャリアを含まないか又は本質的に含まない。前駆体物質２０ひいては粒子９０は、非カプセル化香料と香料マイクロカプセルとを含み得、他の香料キャリアを含まない。
【００４９】
前駆体物質２０ひいては粒子９０は、カプセル化香料を含み得る。カプセル化香料は、複数の香料マイクロカプセルとして提供され得る。香料マイクロカプセルは、シェル内に封入された香油である。シェルは、香料コアの最大寸法未満の平均シェル厚さを有し得る。香料マイクロカプセルは、易砕性の香料マイクロカプセルであってもよい。香料マイクロカプセルは、水分活性型の香料マイクロカプセルであってもよい。
【００５０】
香料マイクロカプセルは、メラミン／ホルムアルデヒドシェルを含み得る。香料マイクロカプセルは、Ａｐｐｌｅｔｏｎ、Ｑｕｅｓｔ  Ｉｎｔｅｒｎａｔｉｏｎａｌ、又はＩｎｔｅｒｎａｔｉｏｎａｌ  Ｆｌａｖｏｒ  ＆  Ｆｒａｇｒａｎｃｅｓ、又は他の適当な供給元から入手可能である。香料マイクロカプセルのシェルは、ポリマーでコーティングすることにより、香料マイクロカプセルの布地への付着性を高めることが可能である。これは、粒子９０が布地処理組成物になるように設計される場合に望ましくあり得る。香料マイクロカプセルは、米国特許出願公開第２００８／０３０５９８２号に記載されているものであってもよい。
【００５１】
前駆体物質２０ひいては粒子９０は、前駆体物質２０又は粒子９０の重量を基準にして約０．１％〜約２０％、あるいは約１％〜約１５％、あるいは２％〜約１０％、あるいはこれらの組み合わせ、及び上述の範囲のうちのいずれか内の任意の整数百分率のカプセル化香料を含み得る。
【００５２】
前駆体物質２０ひいては粒子９０は、香料マイクロカプセルを含み得るが、非カプセル化香料を含まないか又は本質的に含まない。前駆体物質２０ひいては粒子９０は、前駆体物質２０又は粒子９０の重量を基準にして約０．１％〜約２０％、あるいは約１％〜約１５％、あるいは約２％〜約１０％、あるいはこれらの組み合わせ、及び上述の範囲のうちのいずれか内の任意の整数百分率のカプセル化香料を含み得る。
【００５３】
前駆体物質２０は、溶融ＰＥＧをバッチ式ミキサー１０内に供給することによって調製できる。バッチ式ミキサー１０を加熱することによって、所望される温度にて前駆体物質２０を調製できる。溶融ＰＥＧには香料が添加される。バッチ式ミキサー１０に染料（存在する場合）を添加してもよい。他の補助材料を前駆体物質２０（所望される場合）に添加することもできる。
【００５４】
染料が使用された場合、前駆体物質２０及び粒子９０は、染料を含み得る。前駆体物質２０ひいては粒子９０は、前駆体物質２０又は粒子９０の重量を基準にして約０．１％未満、あるいは約０．００１％〜約０．１％、あるいは約０．０１％〜約０．０２％、あるいはこれらの組み合わせ、及び上述した任意の範囲内にある幾百分の１パーセント又は数百分の１パーセントの範囲の染料を含み得る。好適な染料の例としては、限定されないが、Ｍｉｌｌｉｋｅｎ  Ｃｈｅｍｉｃａｌから入手可能なＬＩＱＵＩＴＩＮＴ  ＰＩＮＫ  ＡＭ、ＡＱＵＡ  ＡＳ  ＣＹＡＮ  １５、及びＶＩＯＬＥＴ  ＦＬが挙げられる。
【００５５】
粒子９０は、様々な形状を有し得る。粒子９０は、錠剤形、丸剤形、球形を含む様々な形状に形成され得る。粒子９０は、球形、半球形、圧縮半球形、レンズ豆形、長楕円形からなる群から選択される形状を有し得る。レンズ豆形とは、レンズ豆の形状を指す。圧縮半球形とは、その曲面の曲率が同じ半径を有する半球の曲率よりも平均して小さくなるように、少なくとも部分的に平らにされた半球に対応する形状を指す。圧縮半球形粒子９０は、約０．０１〜約０．４、あるいは約０．１〜約０．４、あるいは約０．２〜約０．３の最大ベース（based）寸法に対する高さの比を有し得る。長楕円形とは、最大寸法とその最大寸法に対して直交した最大二次寸法とを有する形状を指し、最大二次寸法に対する最大寸法の比は、約１．２を超える。長楕円形は、約１．５を超える最大副ベース寸法に対する最大ベース寸法の比を有し得る。長楕円形は、約２を超える最大副ベース寸法に対する最大ベース寸法の比を有し得る。長楕円形状の粒子は、約２ｍｍ〜約６ｍｍ、最大副ベース寸法が約２ｍｍ〜約６ｍｍの最大ベース寸法を有し得る。
【００５６】
個々の粒子９０は、約０．１ｍｇ〜約５ｇ、あるいは約１０ｍｇ〜約１ｇ、あるいは約１０ｍｇ〜約５００ｍｇ、あるいは約１０ｍｇ〜約２５０ｍｇ、あるいは約０．９５ｍｇ〜約１２５ｍｇ、あるいはこれらの組み合わせ、及び上述の範囲のうちのいずれか内の整数又は整数の範囲のｍｇの質量を有し得る。複数の粒子９０において、個々の粒子は、球形、半球形、圧縮半球形、レンズ豆形、長楕円形からなる群から選択される形状を有し得る。
【００５７】
個々の粒子は、約０．００３ｃｍ３〜約０．１５ｃｍ３の体積を有し得る。幾つかの粒子９０は、洗濯機又は洗濯物手洗器に投入するための用量を集合的に含み得る。粒子９０の１回用量は、約１ｇ〜約２７ｇを含み得る。粒子９０の１回用量は、約５ｇ〜約２７ｇ、あるいは約１３ｇ〜約２７ｇ、あるいは約１４ｇ〜約２０ｇ、あるいは約１５ｇ〜約１９ｇ、あるいは約１８ｇ〜約１９ｇ、あるいはこれらの組み合わせ、及び上述の範囲のうちのいずれか内の整数又は整数の範囲のグラムを含み得る。粒子９０の用量を形成する個々の粒子９０（その用量を構成し得る場合）は、約０．９５ｍｇ〜約２ｇの質量を有し得る。複数の粒子９０は、サイズ、形状、及び／又は質量の異なる粒子で構成され得る。用量中の粒子９０は、約１センチメートル未満の最大寸法を有し得る。
【００５８】
本明細書に記載されるように製造され得る粒子９０が図６に示されている。図６は、単一の粒子９０の側面図である。粒子９０は、実質的に平らなベース部１５０と高さＨとを有し得る。粒子９０の高さＨは、実質的に平らなベース部１５０に対して直交した方向における粒子９０の最大程度として測定される。高さＨは、好都合にも、粒子９０の側面図を解析するための画像解析ソフトウェアを使用して、測定できる。
【００５９】
本明細書に記載されるように製造され得る粒子９０の底面図が図７に示されている。ベース部１５０は、最大ベース寸法ＭＢＤを有し得る。最大ベース寸法ＭＢＤは、ベース部１５０の平面におけるベース部１５０の最大程度の長さである。ベース部１５０が楕円の形状を有する場合、最大ベース寸法ＭＢＤは、楕円体の主軸の長さである。
【００６０】
粒子９０は、最大ベース寸法ＭＢＤと整列した主軸ＭＡを有すると見なすことができる。ベース部１５０は、最大副ベース寸法ＭＭＢＤを更に有し得る。最大副ベース寸法ＭＭＢＤは、主軸ＭＡに対して直交してかつベース部１５０と同一面内で測定される。
【００６１】
パッケージ１６０内に複数の粒子９０を含むパッケージ１６０入り組成物が図８に示されている。パッケージ１６０内の粒子９０の実質的に全ては、実質的に平らなベース部１５０とそのベース部１５０に対して直交して測定された高さＨとを有し得、粒子９０は共に高さＨの分布を有し得、この高さＨの分布は、約１ｍｍ〜約５ｍｍの平均高さと、約０．３未満の高さＨの標準偏差と、を有する。パッケージ１６０内の約９０％超又は更には約９５％超又は更には約９９％超の粒子９０は、実質的に平らなベース部１５０とそのベース部１５０に対して直交して測定された高さＨとを有し得、粒子９０が共に高さＨの分布を有し得、この高さＨの分布は、約１ｍｍ〜約５ｍｍの平均高さと、約０．３未満又は更には約０．２又は更には約０．１５未満又は更には０．１３未満の高さＨの標準偏差と、を有し、パッケージ内の粒子９０の画分の任意の組み合わせが、本明細書に記載されるような実質的に平らなベース部１５０と、本明細書に記載されるような高さＨの標準偏差と、を有することが想到される。例えば、パッケージ１６０内の粒子９０の約９５％超は、実質的に平らなベース部１５０と、このベース部１５０に対して直交して測定された高さＨと、を有し得、粒子９０は共に高さＨの分布を有し得、この高さＨの分布は、約１ｍｍ〜約５ｍｍの平均高さと、約０．１５未満の高さＨの標準偏差と、を有する。本明細書に記載の粒子９０を含有するパッケージ１６０は、実質的に同じ充填重量を有する別々のパッケージ１６０間で比較的均一な充填高さを提供すると考えられる。
【００６２】
パッケージ１６０内の粒子９０の実質的に全ては、実質的に平らなベース部１５０と最大ベース寸法ＭＢＤとを有し得、粒子９０は共に最大ベース寸法ＭＢＤの分布を有し得、この最大ベース寸法ＭＢＤの分布は、約２ｍｍ〜約７ｍｍの平均最大ベース寸法ＭＢＤと、約０．５未満の最大ベース寸法ＭＢＤの標準偏差と、を有し得る。そのような粒子９０を含有するパッケージ１６０は、実質的に同じ充填重量を有する別々のパッケージ１６０間で比較的均一な充填高さを提供すると考えられる。パッケージ１６０内の粒子９０の実質的に全ては、実質的に平らなベース部１５０と最大ベース寸法ＭＢＤとを有し得、粒子９０は共に最大ベース寸法ＭＢＤの分布を有し得、この最大ベース寸法ＭＢＤの分布は、約２ｍｍ〜約７ｍｍの平均最大ベース寸法ＭＢＤと、約０．３未満又は更には約０．２５未満の最大ベース寸法ＭＢＤの標準偏差と、を有し得る。
【００６３】
パッケージ１６０内の粒子９０の実質的に全ては、実質的に平らなベース部１５０を有し得、かつ最大ベース寸法ＭＢＤと整列した主軸ＭＡと、この主軸ＭＡに対して直交してかつベース部１５０と同一面内で測定された最大副ベース寸法ＭＭＢＤと、を有する。そのような粒子９０は共に、最大副ベース寸法ＭＭＢＤの分布を有し得、この最大副ベース寸法ＭＭＢＤの分布は、平均最大副ベース寸法ＭＭＢＤと、約０．５未満又は更には約０．３未満又は更には約０．２５未満の標準偏差と、を有する。そのような粒子９０を含有するパッケージ１６０は、ほぼ同じ充填重量を有する別々のパッケージ１６０間で比較的均一な充填高さを提供すると考えられる。
【００６４】
本明細書に開示される高さＨ、最大ベース寸法ＭＢＤ、及び／又は最大副ベース寸法ＭＭＢＤに関して密集度が高い分布を１つ以上有する粒子９０は、実質的に同じ充填重量を有する異なるパッケージ１６０の中でも比較的均一な充填高さを有する粒子９０を含んだパッケージ１６０を提供するものと考えられる。例えば、パッケージ１６０内の粒子９０の実質的に全ては、実質的に平らなベース部１５０と、このベース部１５０に対して直交して測定された高さＨと、を有し得、粒子９０は共に高さＨの分布を有し得、この高さＨの分布は、約１ｍｍ〜約５ｍｍの平均高さと、約０．３未満の高さＨの標準偏差と、を有し、パッケージ１６０内の粒子９０の実質的に全てが、実質的に平らなベース部１５０と最大ベース寸法ＭＢＤとを有し得、粒子９０は共に最大ベース寸法ＭＢＤの分布を有し得、この最大ベース寸法ＭＢＤの分布は、約２ｍｍ〜約７ｍｍの平均最大ベース寸法ＭＢＤと、約０．５未満の最大ベース寸法ＭＢＤの標準偏差と、を有し得る。
【００６５】
実質的に１００重量％又は約９０重量％超又は９５重量％超又は９９重量％超は、高さＨにおいて、高さＨの分布が、約１ｍｍ〜約５ｍｍの平均高さと、約０．３未満又は約０．２未満又は約０．１５未満又は約０．１３未満の高さＨの標準偏差と、を有する、高さＨと、最大ベース寸法ＭＢＤにおいて、最大ベース寸法ＭＢＤの分布が、約２ｍｍ〜約７ｍｍの平均最大ベース寸法ＭＢＤと、約０．５未満又は約０．３未満又は約０．２５未満の最大ベース寸法ＭＢＤの標準偏差と、を有する、最大ベース寸法ＭＢＤと、最大副ベース寸法ＭＭＢＤにおいて、最大副ベース寸法ＭＭＢＤの分布が、約２ｍｍ〜約７ｍｍの平均最大副ベース寸法ＭＭＢＤと、約０．５未満又は約０．３未満又は約０．２５未満の最大副ベース寸法ＭＭＢＤの標準偏差と、を有する、最大副ベース寸法ＭＭＢＤと、を有し得る。各特性に関して前述した範囲、及びそのような範囲内に収まる範囲、並びにそのような特性に関して本明細書に開示される他の範囲の任意の組み合わせが想到される。
【００６６】
任意選択的に、パッケージ１６０内の粒子９０の実質的に全ては、実質的に平らなベース部１５０と、このベース部１５０に対して直交して測定された高さＨと、を有し得、粒子９０が共に高さＨの分布を有し得、この高さＨの分布は、約１ｍｍ〜約５ｍｍの平均高さと、約０．３未満の高さＨの標準偏差と、を有し、パッケージ１６０内の粒子９０の実質的に全てが、実質的に平らなベース部１５０と最大ベース寸法ＭＢＤとを有し得、粒子９０は共に最大ベース寸法ＭＢＤの分布を有し得、この最大ベース寸法ＭＢＤの分布は、約２ｍｍ〜約７ｍｍの平均最大ベース寸法ＭＢＤと、約０．５未満の最大ベース寸法ＭＢＤの標準偏差と、を有し得、パッケージ１６０内の粒子９０の実質的に全てが、実質的に平らなベース部１５０を有し得、最大ベース寸法ＭＢＤと整列した主軸ＭＡと、この主軸ＭＡに対して直交してかつベース部１５０と同一面内で測定された最大副ベース寸法ＭＭＢＤと、を有し、この最大副ベース寸法ＭＭＢＤの分布は、約２ｍｍ〜約７ｍｍの平均最大副ベース寸法ＭＭＢＤと、約０．５未満又は約０．３未満又は約０．２５未満の最大副ベース寸法ＭＭＢＤの標準偏差と、を有する。
【００６７】
均一に形状決めされた粒子９０を作製する能力の向上に関する静止型ミキサー５０の有効性を評価するために、静止型ミキサー５０を使用した場合と使用しない場合のプロダクションラン（productions run）を比較した。
【００６８】
前駆体物質２０の５０ｋｇバッチをミキサーで調製した。溶融ＰＥＧ８０００を７０℃で保持したジャケット付きミキサーに添加し、これをピッチブレード撹拌機で１２５ｒｐｍにて撹拌し、ブチル化ヒドロキシトルエンを前駆体物質２０の０．０１重量％の濃度でミキサーに添加した。ジプロピレングリコールを、前駆体物質２０の１．０８重量％の濃度でミキサーに添加した。香料マイクロカプセルの水性スラリーを、前駆体物質２０の４．０４重量％の濃度でミキサーに添加した。非カプセル化香料を、前駆体物質２０の７．５０重量％の濃度でミキサーに添加した。染料を、前駆体物質２０の０．００９５重量％の濃度でミキサーに添加した。ＰＥＧは、前駆体物質２０の８７．３６重量％を占めていた。前駆体物質２０を３０分間混合した。
【００６９】
前駆体物質２０は、幅７５０ｍｍ×長さ１０ｍのベルトを有するＳａｎｄｖｉｋ  Ｒｏｔｏｆｏｒｍ３０００で、粒子９０に形成された。シリンダ１１０は、横方向ＣＤに１０ｍｍピッチ及び縦方向ＭＤに９．３５ｍｍピッチで設定した直径２ｍｍの開口部６０を有した。このシリンダを、ベルトの上方およそ３ｍｍに設置した。シリンダ１１０のベルト速度及び回転速度を１０ｍ／分に設定した。
【００７０】
前駆体物質２０を混合した後、前駆体物質２０を、３．１ｋｇ／分の一定速度でミキサー１０から、出口温度を５０℃に制御するように設定されたプレート及びフレーム熱交換器を介してポンプ圧送した。
【００７１】
静止型ミキサー５０の不在下の対照ランを実施した。対照ランの一部から６０個の粒子９０を得た。対照ランの高さＨ、最大ベース寸法ＭＢＤ、及び最大副ベース寸法ＭＭＢＤの分布を表したグラフを、図９、図１０、及び図１１に示し、「対照」とラベル付けしてある。
【００７２】
ステータの上流９１．４４ｃｍに、Ｋｅｎｉｃｓ社製の１．９０５ｃｍ径のＫＭＳ６静止型ミキサー５０を設置して、試験ラン（test run）を実施した。試験ラン毎に、試験ランの一部から粒子９０を得た。設置された静止型ミキサー５０で得られた高さＨ、最大ベース寸法ＭＢＤ、及び最大副ベース寸法ＭＭＢＤの分布を表したグラフを、図９、図１０、及び図１１に示し、「試験１」及び「試験２」とラベル付けしてある。
【００７３】
表１は、比較結果の要約である。
【００７４】
【表１】
2019116624.tif 000003
【００７５】
図９、図１０、及び図１１に示すように、静止型ミキサー５０を供給ポンプ１４０とステータ１００との間に整列して含むことにより、高さＨ、最大ベース寸法ＭＢＤ、及び最大副ベース寸法ＭＭＢＤの分布の密集度が高くなる傾向がある。これらの分布の密集度の高さは、これらの分布の各々の標準偏差に反映されており、これらの標準偏差の各々は、静止型ミキサー５０を用いない場合と比較して静止型ミキサー５０を用いた場合の方が低い。分布の密集度が高くなるほど、粒子９０が均一になる。分布を生成した測定された特性の各々について、Ｆ検定により決定されたｐ値は、０．００１未満であった。
【００７６】
本明細書に開示される寸法及び値は、列挙された正確な数値に厳密に制限されると理解されるべきでない。むしろ、特に断りのない限り、そのような各々の寸法は、列挙される値とその値の周辺の機能的に等価な範囲の両方を意味することが意図される。例えば「４０ｍｍ」として開示される寸法は、「約４０ｍｍ」を意味するものとする。
【００７７】
相互参照されるか若しくは関連する任意の特許又は出願、並びに本出願がその優先権若しくは利益を主張する任意の特許出願又は特許を含めた、本明細書で引用される全ての文書は、明示的に除外又は別途限定されない限り、その全体が参照により本明細書に組み込まれる。如何なる文書の引用も、それが本明細書で開示若しくは特許請求される任意の発明に対する先行技術であること、又は、それが単独で若しくは任意の他の参照との任意の組み合わせで、任意のそのような発明を教示、提案、若しくは開示することを認めるものではない。更には、本文書における用語のいずれかの意味又は定義が、参照により組み込まれた文書内の同じ用語の意味又は定義と矛盾する限りにおいて、本文書内でその用語に付与される意味又は定義が優先されるものとする。
【００７８】
以上、本発明の特定の諸実施形態を図示、説明したが、本発明の趣旨及び範囲から逸脱することなく他の様々な変更及び改変を行い得る点は当業者には自明であろう。したがって、本発明の範囲内にあるそのような変更及び修正は全て添付される「特許請求の範囲」に網羅されるものとする。
【図１】
2019116624.tif 000004
【図２】
2019116624.tif 000005
【図３】
2019116624.tif 000006
【図４】
2019116624.tif 000007
【図５】
2019116624.tif 000008
【図６】
2019116624.tif 000009
【図７】
2019116624.tif 000010
【図８】
2019116624.tif 000011
【図９】
2019116624.tif 000012
【図１０】
2019116624.tif 000013
【図１１】
2019116624.tif 000014
【手続補正書】
【提出日】平成31年2月22日(2019.2.22)
【手続補正１】
【補正対象書類名】特許請求の範囲
【補正対象項目名】全文
【補正方法】変更
【補正の内容】
【特許請求の範囲】
【請求項１】
パッケージ（１６０）内に複数の粒子（９０）を含む、パッケージ入り組成物であって、前記粒子が、
前記粒子の４０重量％超のポリエチレングリコールであって、前記ポリエチレングリコールが５０００〜１１０００の重量平均分子量を有する、ポリエチレングリコールと、前記粒子の０．１重量％〜２０重量％の香料と、を含み、
前記パッケージ内の前記粒子の実質的に全てが、実質的に平らなベース部（１５０）と、前記ベース部に対して直交して測定された高さ（Ｈ）と、を有し、全体として前記粒子が、高さの分布を有し、前記高さの分布が、１ｍｍ〜５ｍｍの平均高さと、０．３未満の高さの標準偏差と、を有し、
前記パッケージ内の前記粒子の実質的に全てが、実質的に平らなベース部と、最大ベース寸法（ＭＢＤ）と、を有し、前記粒子が全体として、最大ベース寸法の分布を有し、前記最大ベース寸法の分布が、２ｍｍ〜７ｍｍの平均最大ベース寸法と、０．５未満の最大ベース寸法の標準偏差と、を有し、
前記パッケージ内の前記粒子の実質的に全てが、実質的に平らなベース部を有し、前記最大ベース寸法と整列した主軸（ＭＡ）と、前記主軸に対して直交してかつ前記ベース部と同一面内で測定された最大副ベース寸法（ＭＭＢＤ）と、を有し、全体として前記粒子が、最大副ベース寸法の分布を有し、前記最大副ベース寸法の分布が、２ｍｍ〜７ｍｍの平均最大副ベース寸法と、０．５未満の最大副ベース寸法の標準偏差と、を有する、パッケージ入り組成物。
【請求項２】
前記香料がカプセル化香料を含む、請求項１に記載のパッケージ入り組成物。
【請求項３】
前記粒子が、０．１重量％〜２０重量％のカプセル化香料を含む、請求項１又は２に記載のパッケージ入り組成物。
【請求項４】
前記香料が、カプセル化香料と非カプセル化香料とを含む、請求項１〜３のいずれか一項に記載のパッケージ入り組成物。
【請求項５】
前記粒子が、０．１ｍｇ〜５ｇの個別質量を有する、請求項１〜４のいずれか一項に記載のパッケージ入り組成物。
【請求項６】
前記パッケージ内の前記粒子の９０％超が、実質的に平らなベース部と、前記ベース部に対して直交して測定された高さと、を有し、全体として前記粒子が、高さの分布を有し、前記高さの分布が、１ｍｍ〜５ｍｍの平均高さと、０．３未満の高さの標準偏差と、を有する、請求項１〜５のいずれか一項に記載のパッケージ入り組成物。
【請求項７】
前記パッケージ内の前記粒子の９０％超が、実質的に平らなベース部と、前記ベース部に対して直交して測定された高さと、を有し、全体として前記粒子が、高さの分布を有し、前記高さの分布が、１ｍｍ〜５ｍｍの平均高さと、０．２未満の高さの標準偏差と、を有する、請求項１〜６のいずれか一項に記載のパッケージ入り組成物。
【請求項８】
前記パッケージ内の前記粒子の９０％超が、実質的に平らなベース部と、前記ベース部に対して直交して測定された高さと、を有し、全体として前記粒子が、高さの分布を有し、前記高さの分布が、１ｍｍ〜５ｍｍの平均高さと、０．１５未満の高さの標準偏差と、を有する、請求項１〜７のいずれか一項に記載のパッケージ入り組成物。
【請求項９】
前記パッケージ内の前記粒子の９９％超が、実質的に平らなベース部と、前記ベース部に対して直交して測定された高さと、を有し、全体として前記粒子が、高さの分布を有し、前記高さの分布が、１ｍｍ〜５ｍｍの平均高さと、０．３未満の高さの標準偏差と、を有する、請求項１〜８のいずれか一項に記載のパッケージ入り組成物。
【外国語明細書】
2019116624000001.pdf